(57)【要約】【課題】高出力で波長安定性が良く且つ寿命の長い固体色素レーザーチップを提供する。【解決手段】  基板１上に色素をドープした光導波路２がストライプ状に形成された固体色素レーザー色素チップにおいて、光導波路２の表面の一部に長さと干渉露光時間の異なる回折格子１１を形成する。回折格子を光導波路の両端に形成する。【選択図】図１
2005249961.tif 000002
【特許請求の範囲】
【請求項１】
基板上に色素をドープした光導波路がストライプ状に形成された固体色素レーザー色素チップにおいて、前記光導波路の表面の一部に回折格子を形成することを特徴とする固体色素レーザー色素チップ。
【請求項２】
前記回折格子が前記光導波路の両端に形成されていることを特徴とする請求項１記載の固体色素レーザー色素チップ。
【請求項３】
基板上に色素をドープした光導波路がストライプ状に形成された固体色素レーザー色素チップにおいて、光導波路の片側にアルミ等の蒸着によりミラーを形成したことを特徴とする固体色素レーザー色素チップ。
【請求項４】
基板上に色素をドープした光導波路がストライプ状に形成された固体色素レーザー色素チップにおいて、同時に励起する複数本の光導波路を配置したことを特徴とする固体色素レーザー色素チップ。
【発明の詳細な説明】
【技術分野】
【０００１】
本発明は、色素をドープしたストライプ状に形成した光導波路上に回折格子を形成し、励起光を光導波路に照射することによって回折格子のピッチに従った波長のレーザーを発振できる固体色素レーザーチップに関する。
【背景技術】
【０００２】
色素をドープした複数の光導波路をストライプ状に形成した固体色素レーザーチップが、例えば本出願人らに係る特許文献１で知られている。
【０００３】
図４（ａ）は特許文献１に開示されている従来の光導波路がストライプ状に形成された従来の固体色素レーザーチップの概略図、（ｂ）は固体色素レーザーチップを利用した可変波長レーザーの概略図である。図４（ａ）において、アクリル製の基板１に形成された、色素をドープした光導波路２のそれぞれの表面にピッチの異なる回折格子を形成し、ＹＡＧレーザー等のレーザー励起によりピッチに相当する波長の光が光導波路２の端面から放出される。
【０００４】
図４（ｂ）において、ＹＡＧレーザーからの励起光は、凹レンズ３で拡大され、次いでシリンドリカルレンズ４で平行ビームにし、シリンドリカルレンズ５で絞られた平行ビームになり、Ｎｄ：ＹＡＧレーザーの励起光の一部がチップホルダー６に取り付けられた固体色素レーザーチップ７に直接入射するとともに、残りの励起光がミラー８にから反射され、固体色素レーザーチップ７において干渉を起こすことでレーザーは光導波路２の端から出力する。
【０００５】
また、本出願人らは、固体色素レーザーチップの製造方法として、色素をメタクリル酸メチル、もしくはメタクリル酸メチルとメタクリル酸ヒドロキシエチルの共重合に混合し、この混合物を基板に滴下し、スピンコートして基板上で薄膜化し、この薄膜を乾燥し、そしてアニーリングして固化し、次いで、フォトマスクを用いたエキシマランプにより露光した後、ウエットエッチングにより複数のストライプからなる光導波路を形成する方法を提案した（特許文献２参照）。
【特許文献１】特開２００３−２７３４３４号公報
【特許文献２】特開２００３−２７３４３３号公報
【発明の開示】
【発明が解決しようとする課題】
【０００６】
従来の固体色素レーザーチップは、光導波路を形成した後、ＤＦＢ（Distributed  Feedback：分布帰還）を光導波路全面に作製するというものであった。しかしながら、この方法ではＤＦＢ作製時の紫外線レーザーによる光導波路の色素の劣化があり、高出力と長寿命化、波長安定性に限界があった。
【０００７】
固体色素レーザーにおいては、レーザー媒質は色素分子が担うものであるから、出力と寿命を確保するためにはＤＦＢ作製前の色素分子の個数が媒質中に必要となる。これまでの固体色素レーザーチップは、光導波路全体にＤＦＢを作製し、励起光を光導波路全体に照射し発振させていたため、ＤＦＢの劣化による波長シフトが問題となっていた。
【０００８】
また、従来の固体色素レーザーチップにおいて、レーザーは光導波路の両側から出力されるが、これまで片側の出力しか利用できてなかったため、単純に半分の出力を無駄に失っていた。そのため、寿命を維持し出力を確保するためには、図４（ｂ）に示すように、片側に励起光の半分をレーザーチップへ反射させるためのミラーを取り付ける必要性があったために、構造が複雑になるという問題があった。
【０００９】
また、レーザー出力の大きさは励起光の強さに依存する。しかし、色素には寿命があり、励起光の単位面積当たりの照射エネルギーと繰り返しで寿命が決まるので、ひとつの光導波路に照射する励起入力が大きければ大きい程、寿命が短くなるので大出力化の阻害になっており、そのため、寿命を維持し、高出力を確保するためには一度に励起する光導波路の数を増やしてレーザーを取り出さなければならないという欠点があった。
【００１０】
そこで、本願発明は、高出力で波長安定性が良く且つ寿命の長い固体色素レーザーチップを提供するものである。
【課題を解決するための手段】
【００１１】
本発明は、基板上に色素をドープした光導波路がストライプ状に形成された固体色素レーザー色素チップにおいて、前記光導波路の表面の一部に長さと干渉露光時間の異なる回折格子を形成することを特徴とする。
【００１２】
前記構成において、回折格子を光導波路の両端に形成したり、光導波路の片側にアルミ等の蒸着によりミラーを形成したり、あるいは同時に励起する複数本の光導波路を配置することができる。
【発明の効果】
【００１３】
本発明は、光導波路にマスクを施し、紫外レーザーによる干渉露光を行うことで、ＤＦＢ作製時の紫外線レーザーによる色素劣化を抑えることができるので、高出力が得られるとともに、寿命を長くすることができる。
【発明を実施するための最良の形態】
【００１４】
本発明では、光導波路にマスクを施し、紫外レーザーによる干渉露光を行うことで任意の場所に回折格子を作製できる。
【実施例１】
【００１５】
図１は本発明の固体色素レーザーチップの製造プロセスの一例を示す図である。
【００１６】
色素をメタクリル酸メチル、もしくはメタクリル酸メチルとメタクリル酸ヒドロキシエチルの共重合に混合し、この混合物をアクリル製の基板１に滴下し、スピンコートして基板上に薄膜９を形成し（図１（ａ）参照）、この薄膜９を乾燥し、そして７０℃、２０〜２４時間アニーリングして完全重合させる。次いで、フォトマスク１０を施して紫外線レーザーまたはランプにより露光し（図１（ｂ）参照）、その後、ウエットエッチングにより複数のストライプからなる光導波路２を形成する（図１（ｃ）参照）。
【００１７】
次いで、レーザー導波路の両端にＤＦＢ構造をもつ回折格子を形成する。回折格子の作製は、回折格子を作製する両端を除く領域を露光用レーザーから色素を保護するため、図１（ｄ）に示すようにマスク１０を施す。マスク１０を施した後、２方向からのレーザーを干渉させて光導波路２の両端に回折格子１１を作製する。
【００１８】
本実施例では、光導波路にマスクを施し、紫外レーザーによる干渉露光を行うことで任意の場所に回折格子を作製できるだけでなく、色素を紫外レーザーから保護することができ、その結果、ＤＦＢ作製時の紫外線レーザーによる色素劣化を抑えることができるので、高出力で波長の安定性が得られるとともに、寿命を長くすることができる。
【実施例２】
【００１９】
図２は本発明の固体色素レーザーチップの別実施例を示す概略図である。本実施例では、基板１上に形成された光導波路２の端面を鏡面研磨し、この面にアルミなど反射率の高いものを真空蒸着などで被覆してミラー１２を形成する。
【００２０】
従来の固体色素レーザーチップでは片側からのみ出力しており、片側の出力を無駄にしているが、本実施例では、アルミ等を蒸着してミラーを形成することですべての自然放出光やレーザーをムダなく使うことができ、出力特性が大きく改善される。
【００２１】
本発明の固体色素レーザーチップでは色素チップの性能的には従来数％であった出力を数十％に向上させることができ、従来の出力より数倍程度大きな出力が取り出せるようになる。これは、通常の導波路全面に回析格子を作るＤＦＢ構造や導波路の両端のみに回析格子を作るＤＢＲのどちらの方式でも適応できる。
【実施例３】
【００２２】
図３は本発明の固体色素レーザーチップの別実施例を示す概略図である。本実施例では、同時に励起する複数本の光導波路が配置される。
【００２３】
高出力のレーザーなどで１本の導波路を励起すると励起光のエネルギー密度が高いため色素チップの寿命も短く効率良く出力を取り出すことができないが、本実施例では、光導波路の幅を狭めていくと光の閉じ込め効果により出力が増大していくことから、複数本の幅の狭い（数十〜数百μｍ程度）光導波路を同時に励起することで、長寿命で効率の良いレーザー出力を得ることができる。これは、通常の導波路全面に回析格子を作るＤＦＢ構造や導波路の両端のみに回析格子を作るＤＢＲのどちらの方式でも適応できる。
【図面の簡単な説明】
【００２４】
【図１】本発明の固体色素レーザーチップの製造プロセスを示す図である。
【図２】本発明の固体色素レーザーチップの別実施例を示す概略図である。
【図３】本発明の固体色素レーザーチップの別実施例を示す概略図である。
【図４】従来の光導波路がストライプに形成された従来の固体色素レーザーチップの概略図、（ｂ）は固体色素レーザーチップを利用した可変波長レーザーの概略図である。
【符号の説明】
【００２５】
１：基板
２：光導波路
３：凹レンズ
４，５：シリンドリカルレンズ
６：チップホルダー
７：固体色素レーザーチップ
８：ミラー
９：薄膜
１０：マスク
１１：回折格子
１２：ミラー
【図１】
2005249961.tif 000003
【図２】
2005249961.tif 000004
【図３】
2005249961.tif 000005
【図４】
2005249961.tif 000006